(57)【要約】【課題】照明器具に対する任意の位置に極めて簡単に取り付けることができると共に、意匠性に優れる蛍光灯の落下防止具を提供すること。【解決手段】蛍光灯３の落下防止具１は、照明器具２に貼り付けるための粘着層１４Ｂを設けた貼付部１１と、照明器具２から外れた蛍光灯３の外周を受け止めるための受止部１２とを、透明材料から環形状に成形してなる。落下防止具１は、発光ダイオードを用いた蛍光灯３の両側における取付端部３１の近傍に一対に外装した状態で、貼付部１１の粘着層１４Ｂを照明器具２の対向面２２に貼り付けて用いる。【選択図】図１
0003162659.tif 000002
【実用新案登録請求の範囲】
【請求項１】
照明器具に貼り付けるための粘着層を設けた貼付部と、上記照明器具から外れた蛍光灯の外周を受け止めるための受止部とを、透明材料から環形状に成形してなることを特徴とする蛍光灯の落下防止具。
【請求項２】
請求項１に記載の蛍光灯の落下防止具において、該落下防止具は、発光ダイオードを用いた蛍光灯の両側における取付端部の近傍に一対に外装した状態で上記照明器具に貼り付けて用い、上記粘着層は、ＪＩＳＺ０２３７に準拠する対ＳＵＳ粘着力が３０（Ｎ／１０ｍｍ）以上であることを特徴とする蛍光灯の落下防止具。
【請求項３】
請求項１又は２に記載の蛍光灯の落下防止具において、該落下防止具は、透明材料としての樹脂の成形を行って形成したものであることを特徴とする蛍光灯の落下防止具。
【考案の詳細な説明】
【技術分野】
【０００１】
本考案は、照明器具から蛍光灯が外れたときに受け止めることができる蛍光灯の落下防止具に関する。
【背景技術】
【０００２】
照明器具に用いる蛍光灯は、その両端部に設けた取付部によって、照明器具のソケットに接続されると共に支持される。また、万が一、取付部の支持が外れたときに、蛍光灯が落下しないための工夫がされている。
例えば、特許文献１の蛍光灯照明器具のランプ挿入ガイド構造においては、蛍光ランプの両側を蛍光灯照明器具のソケットに挿入する際のガイド部を、蛍光灯照明器具に設け、ガイド部によって蛍光ランプの落下防止を行うことが開示されている。
また、例えば、特許文献２の蛍光灯型ＬＥＤ照明具の落下防止治具においては、この落下防止治具が、蛍光灯器具のソケットに装着する部位と、ソケットに取り付けられた蛍光灯型ＬＥＤ照明具の下方に位置する部位とを備えていることが開示されている。
【先行技術文献】
【特許文献】
【０００３】
【特許文献１】実開昭６４−５４２０８号公報
【特許文献２】実用新案登録第３１５５０１８号公報
【考案の概要】
【考案が解決しようとする課題】
【０００４】
しかしながら、従来の落下防止具は、照明器具にビス等で取り付けたり、照明器具の決まった位置に取り付ける必要があり、必ずしも簡単に取り付けができるものではなかった。また、従来の落下防止具は板金等で形成しており、必ずしも意匠性がよいものではなかった。
【０００５】
本考案は、かかる従来の問題点に鑑みてなされたもので、照明器具に対する任意の位置に極めて簡単に取り付けることができると共に、意匠性に優れる蛍光灯の落下防止具を提供しようとするものである。
【課題を解決するための手段】
【０００６】
本考案は、照明器具に貼り付けるための粘着層を設けた貼付部と、上記照明器具から外れた蛍光灯の外周を受け止めるための受止部とを、透明材料から環形状に成形してなることを特徴とする蛍光灯の落下防止具にある（請求項１）。
【考案の効果】
【０００７】
本考案の蛍光灯の落下防止具は、貼付部に設けた粘着層によって照明器具に貼り付ける構成を有している。そして、蛍光灯を照明器具に取り付ける際には、落下防止具の開口部に蛍光灯を挿通させて落下防止具を蛍光灯に配置しておき、照明器具に対して蛍光灯を取り付けた後、落下防止具の貼付部における粘着層を照明器具に貼り付けることができる。これにより、照明器具に対する任意の位置に極めて簡単に落下防止具を取り付けることができる。そして、落下防止具は、既存の照明器具に対しても、極めて簡単に取り付けることができる。
【０００８】
また、本考案の落下防止具は、透明材料から形成してあり、蛍光灯に外装したとき、蛍光灯の照明の妨げにならず、意匠性に優れる。さらに、落下防止具は、環形状を有しているため、その強度を容易に確保することができる。
それ故、本考案によれば、照明器具に対する任意の位置に極めて簡単に取り付けることができると共に、意匠性に優れる蛍光灯の落下防止具を提供することができる。
【図面の簡単な説明】
【０００９】
【図１】実施例にかかる、蛍光灯の落下防止具を照明器具に貼り付けた状態を示す斜視図。
【図２】実施例にかかる、蛍光灯に配置した落下防止具を示す斜視図。
【図３】実施例にかかる、落下防止具の断面を示す説明図。
【考案を実施するための形態】
【００１０】
上述した本考案に係る蛍光灯の落下防止具における好ましい実施の形態につき説明する。
本考案において、上記落下防止具は、発光ダイオードを用いた蛍光灯の両側における取付端部の近傍に一対に外装した状態で上記照明器具に貼り付けて用い、上記粘着層は、ＪＩＳＺ０２３７に準拠する対ＳＵＳ粘着力が３０（Ｎ／１０ｍｍ）以上であることが好ましい（請求項２）。
この場合には、従来の蛍光灯に比べて重い、発光ダイオード（ＬＥＤ）を用いた蛍光灯に対して、落下防止具により安定した落下防止を行うことができる。
また、粘着層の対ＳＵＳ粘着力は４０（Ｎ／１０ｍｍ）以上であることが更に好ましい。
【００１１】
また、上記落下防止具は、透明材料としての樹脂の成形を行って形成したものであることが好ましい（請求項３）。
この場合には、落下防止具の成形が極めて容易であり、その製造コストを低減させることができる。
【実施例】
【００１２】
以下に、本考案の蛍光灯の落下防止具に係る実施例につき、図面を参照して説明する。
本例の蛍光灯３の落下防止具１は、図１〜図３に示すごとく、照明器具２に貼り付けるための粘着層１４Ｂを設けた貼付部１１と、照明器具２から外れた蛍光灯３の外周を受け止めるための受止部１２とを、透明材料から環形状に成形してなる。
【００１３】
以下に、本例の蛍光灯３の落下防止具１につき、図１〜図３を参照して詳説する。
本例の落下防止具１を採用する蛍光灯３は、発光ダイオード（ＬＥＤ）を用いた直線形状の蛍光灯であり、この蛍光灯３は、従来の蛍光灯の約２倍である約４００ｇ前後の質量を有している。
図１に示すごとく、本例の照明器具２は、一対の蛍光灯３を平行に配置して支持するものであり、各蛍光灯３の両側における取付端部３１を支持するソケット２１を長手方向の両側に２つずつ配置してなるものであり。蛍光灯３の各取付端部３１の端面には、２つの端子部がそれぞれ設けられており、照明器具２のソケット２１は、２つの端子部と係合して、蛍光灯３の電気的接続及び機械的支持を行う。
照明器具２においては、蛍光灯３の外周に対向する部分が対向面２２として平坦状に形成されている。
【００１４】
図１に示すごとく、本例の落下防止具１は、発光ダイオードを用いた蛍光灯３の両側における取付端部３１の近傍に一対に外装した状態で、貼付部１１の粘着層１４Ｂを照明器具２の対向面２２に貼り付けて用いる。
本例の落下防止具１は、透明材料としての透明樹脂から成形した樹脂成形品である。また、落下防止具１は、透明樹脂の射出成形を行って形成したものである。これにより、落下防止具１の成形を極めて容易に行い、その製造コストを低減させている。
【００１５】
図２に示すごとく、本例の落下防止具１は、平板形状に形成した貼付部１１と、貼付部１１の両側から立設した一対の立設部１２１を、蛍光灯３の外周に沿った円弧形状の連結部１２２で連結してなる受止部１２とによって形成されている。
落下防止具１に用いる透明樹脂は、蛍光灯３の発熱温度（４０〜６０℃程度）に耐え得るものとし、例えば、ポリカーボネート、ＰＥＴ（ポリエチレンテレフタレート）、ＰＰ（ポリプロピレン）等とすることができる。
【００１６】
図３に示すごとく、貼付部１１に設ける粘着層１４Ｂは、貼付部１１に対してクッション材１３を介して設けてある。これにより、落下防止具１を貼り付ける照明器具２の対向面２２が完全な平坦状でなく、若干の凹凸を有していても、クッション材１３が変形することによって凹凸を吸収することができる。そのため、若干の凹凸を有する対向面２２に対しても安定して落下防止具１を貼り付けることができる。
【００１７】
図３に示すごとく、貼付部１１の粘着層１４は、基材層としてのクッション材１３の両側に粘着層１４Ａ、１４Ｂを有するいわゆる両面粘着シート１５を用いて構成されている。落下防止具１は、樹脂成形品の貼付部１１に対して、両面粘着シート１５の一方側における粘着層１４Ａを粘着し、両面粘着シート１５の他方側における粘着層１４Ｂには、粘着防止シート１６を付けた状態で製品とする。
本例の粘着層１４Ａ、１４Ｂは、発行ダイオードを用いた蛍光灯３の落下防止を安定して行うために、ＪＩＳＺ０２３７に準拠する対ＳＵＳ粘着力が３５（Ｎ／１０ｍｍ）以上である。粘着層１４Ａ、１４Ｂの粘着強度は、発光ダイオードを用いた蛍光灯３を充分に支持することができる値として設定している。
【００１８】
本例の蛍光灯３の落下防止具１は、貼付部１１に設けた粘着層１４Ｂによって照明器具２に貼り付ける構成を有している。そして、蛍光灯３を照明器具２に取り付ける際には、落下防止具１の開口部に蛍光灯３を挿通させて落下防止具１を蛍光灯３に配置しておく。このとき、落下防止具１の他方側（外側）の粘着層１４Ｂには、粘着防止シート１６を付けた状態にしておく。そして、照明器具２に対して蛍光灯３を取り付けた後、落下防止具１の他方側の粘着層１４Ｂにつけた粘着防止シート１６を剥がし、落下防止具１を粘着層１４Ｂによって照明器具２に貼り付けることができる。
【００１９】
このとき、図２、図３に示すごとく、落下防止具１は、蛍光灯３と対向面２２との間に形成される隙間Ｓ内で、蛍光灯３に対して自由に回転させて（同図中、矢印Ｒで示す。）、粘着層１４Ｂを対向面２２に対面させることができる。こうして、照明器具２に対する任意の位置に極めて簡単に落下防止具１を取り付けることができる。そして、落下防止具１は、既存の照明器具２に対しても、極めて簡単に取り付けることができる。
【００２０】
また、本例の落下防止具１は、透明材料から形成してあり、蛍光灯３に外装したとき、蛍光灯３の照明の妨げにならず、意匠性に優れる。さらに、落下防止具１は、環形状を有しているため、その強度を容易に確保することができる。
また、蛍光灯３の外周に落下防止具１が配置されていることにより、蛍光灯３をソケット２１から取り外したとしても、簡単に持ち出すことができないようにすることができる。これにより、落下防止具１は、蛍光灯３の盗難抑止効果を発揮することもできる。
【００２１】
さらに、上記のごとく、本例の蛍光灯３は、従来の蛍光灯よりも重い発光ダイオード（ＬＥＤ）を用いたものである。これに対し、充分な粘着強度を持たせた落下防止具１により、仮に照明器具２のソケット２１に対する蛍光灯３の取付端部３１の取付状態が外れたときでも、この蛍光灯３を安定して支えることができる。
【符号の説明】
【００２２】
１  落下防止具
１１  貼付部
１２  受止部
１３  クッション材
１４Ａ、１４Ｂ  粘着層
２  照明器具
２１  ソケット
２２  対向面
３  蛍光灯
３１  取付端部
【図１】
0003162659.tif 000003
【図２】
0003162659.tif 000004
【図３】
0003162659.tif 000005